(57)【要約】【課題】疲れにくい打力調節装置を備えた弾球遊技機を提供する。【解決手段】室内の遊技機設置部に固定的に取付けられる固定部材（外枠）２と、固定部材２の前面に開閉可能に取り付けられると共に遊技者が遊技を行うための遊技領域１０を有する前面部材（前枠）３と、遊技領域１０に遊技球を打ち込む電動打球装置と、電動打球装置の打力を調節する打力調節装置１４０とを備えた弾球遊技機１において、電動打球装置は、発射位置にある遊技球を遊技領域１０に向けて打ち出す打球部材と、該打球部材に打球動作を行わせる動力部材とを有し、打力調節装置１４０は、回転可能なハンドル体１４２と、ハンドル体１４２の回転動作で電動打球装置の打力を変更させる調節部材とを備えており、さらにハンドル体１４２は、片手で回転操作可能な主ハンドル部１４２ａに少なくとも１本の指で牽引操作可能な指掛部１４２ｂを設けたことを特徴とする。  【選択図】        図１
2014083382.tif 000002
【特許請求の範囲】
【請求項１】
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
回転可能なハンドル体と、
該ハンドル体の回転動作で前記電動打球装置の打力を変更させる調節部材と、を備えており、
さらに前記ハンドル体は、片手で回転操作可能な主ハンドル部に少なくとも１本の指で牽引操作可能な指掛部を設けたことを特徴とする弾球遊技機。
【請求項２】
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
回転可能なハンドル体と、
該ハンドル体の回転動作で前記電動打球装置の打力を変更させる調節部材と、を備えており、
さらに前記ハンドル体は、片手で回転操作可能な主ハンドル部に拡張部を突設して該拡張部に少なくとも１本の指で牽引操作可能な指掛部を設けたことを特徴とする弾球遊技機。
【請求項３】
前記指掛部は、前記主ハンドル部又は前記拡張部に形成された孔であり且つ該孔が、操作する側の手を固定的な手置き台に載せた状態でその手の少なくとも人差し指で引っ掛け操作可能な位置に設けられていることを特徴とする請求項１又は２に記載の弾球遊技機。
【請求項４】
前記ハンドル体の前記主ハンドル部は、回転中心となる回転母体と、該回転母体の上面から側方に向けて舌片状に延設されたレバー体と、からなり、
一方、前記指掛部は、前記レバー体に手を載せてハンドル体の操作を行う場合に手の平の手首近傍が当接し得る位置に設けられていることを特徴とする請求項１〜３の何れか１項に記載の弾球遊技機。
【発明の詳細な説明】
【技術分野】
【０００１】
本発明は、遊技領域に遊技球を打ち込んで遊技を行う弾球遊技機に関する。
【背景技術】
【０００２】
弾球遊技機の一例をパチンコ機について説明する。
周知のようにパチンコ機は、遊技場等の室内の遊技機設置部（「遊技機設置島」ともいう。）に固定的に取り付けられる固定部材（「外枠」ともいう。）と、該外枠の前面に片開きの扉のごとく開閉可能に取り付けられる前面部材（「前枠」ともいう。）を備えており、遊技者が前枠側に装着された遊技板の遊技領域に向けて遊技球（一般に「パチンコ球」という。）を発射させ、その遊技球が遊技領域の入賞口に入った場合、景品として所定数の遊技球を機前の球皿に放出し、一方、遊技球が入賞しなかった場合、その遊技球をアウト球として機裏に回収するものである。
【０００３】
パチンコ機には、遊技板の遊技領域に向けて遊技球を打ち込む電動打球装置と、該電動打球装置の打力の強弱を調節する打力調節装置と、が設けられている。前記電動打球装置は、発射レールに供給された遊技球を一個ずつ打ち出す揺動自在なハンマー状の打球部材と、該打球部材に打球動作を行わせる動力部材（例えば、ロータリーソレノイドや、電動モータと回転カムと牽引バネの周知の組み合わせ等）で構成されており、一方、打力調節装置は、前記電動打球装置の動力部材を調節（例えば、前記ロータリーソレノイドの電気抵抗値の増減、或は牽引バネの張力の増減）することで打球部材の打力を調節する。
【０００４】
前記打力調節装置は、図５に示したように機前の下方から遊技者側に向けてほぼ水平に突設したハンドルアーム１０１と、該ハンドルアーム１０１の先端に垂直方向に立ち上げた円形のハンドルグリップ１０２と、このハンドルグリップ１０２の周面に設けた打力調節操作用のダイヤル１０３と、を備え、前記ハンドルグリップ１０２の内部に設けた可変抵抗器の電気抵抗値を前記ダイヤル１０３によって適宜変更し、そうして電動打球装置に印加する電圧値を変更して打力の強弱を調節する。
【０００５】
【特許文献１】特開平１１−１２８４８８号公報（段落００３７）
【発明の概要】
【発明が解決しようとする課題】
【０００６】
上記従来の打力調節装置は、右手でハンドルグリップ１０２を覆い、そのまま鷲づかみの状態にしてダイヤル１０３に親指を掛け、その手の手首から先を捻りつつダイヤル１０３を回動させ、そうして電動打球装置の打力を変更し、さらにハンドルグリップ１０２の握りを強くしてダイヤル１０３を任意の位置で固定するようにしていたが、手首を捻った窮屈な姿勢を長時間継続することにより疲労しやすい問題があった。
【０００７】
本発明は上記に鑑みなされたもので、その目的は、長時間の遊技にも疲れにくい打力調節装置を備えた弾球遊技機を提供することにある。
【課題を解決するための手段】
【０００８】
上記の目的を達成するため本発明は、
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
回転可能なハンドル体と、
該ハンドル体の回転動作で前記電動打球装置の打力を変更させる調節部材と、を備えており、
さらに前記ハンドル体は、片手で回転操作可能な主ハンドル部に少なくとも１本の指で牽引操作可能な指掛部を設けた弾球遊技機を提供する。
【０００９】
また、請求項２に記載したように、
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
回転可能なハンドル体と、
該ハンドル体の回転動作で前記電動打球装置の打力を変更させる調節部材と、を備えており、
さらに前記ハンドル体は、片手で回転操作可能な主ハンドル部に拡張部を突設して該拡張部に少なくとも１本の指で牽引操作可能な指掛部を設けた弾球遊技機を提供する。
【００１０】
また、請求項３に記載したように、前記指掛部は、前記主ハンドル部又は前記拡張部に形成された孔であり且つ該孔が、操作する側の手を固定的な手置き台に載せた状態でその手の少なくとも人差し指で引っ掛け操作可能な位置に設けられている請求項１又は２に記載の弾球遊技機請を提供する。
なお、ここで指掛部の孔は、主ハンドル部又は拡張部を厚さ方向に貫く形態の他、例えばカップ状の有底孔を含むものであり、また、全周が環状に閉じている形態の他、例えばＣ字型のように一部に切れ目がある環形態をも含む。
【００１１】
また、請求項４に記載したように、前記ハンドル体の前記主ハンドル部は、回転中心となる回転母体と、該回転母体の上面から側方に向けて舌片状に延設されたレバー体と、からなり、
一方、前記指掛部は、前記レバー体に手を載せてハンドル体の操作を行う場合に手の平の手首近傍が当接し得る位置に設けられている請求項１〜３の何れか１項に記載の弾球遊技機を提供する。
【発明の効果】
【００１２】
本発明の弾球遊技機は、主ハンドル部を回転操作する通常の打力調節に加えて、指掛部に例えば人差し指を引っ掛けて牽引する格好でも打力調節が行える。したがって、主ハンドル部による打力調節と指掛部による打力調節とを好みに応じて選択するか或は交互に切り替えて疲れにくくすることができる。また、遊技者が遊技しやすい姿勢を選択することができるから、例えば身体的な障害や一時的な怪我等によって手の動きに制約があるような場合でも比較的楽な姿勢で遊技を行うことができる。
【００１３】
また、請求項４に記載の弾球遊技機によれば、上記に加えて指掛部の孔の上に手の平の例えば拇指球（親指の下側の膨らんだ部位）〜小指球（小指の下側の膨らんだ部位）の範囲の一部を載せてハンドル体の位置を支えることができるから、複数の遊技姿勢を状況に応じて使い分けて疲れを軽減させることが可能になる。
【図面の簡単な説明】
【００１４】
【図１】弾球遊技機の斜視図である。
【図２】弾球遊技機の要部拡大正面図である。
【図３】打力調節装置を示す弾球遊技機の要部拡大横断平面図である。
【図４】実施形態２を示す弾球遊技機の要部拡大正面図である。
【図５】従来技術を示す弾球遊技機の要部拡大斜視図である。
【発明を実施するための形態】
【００１５】
［実施形態１］
以下に本発明の実施形態１を弾球遊技機の一例たるパチンコ機を例に図１〜図３を参照しつつ説明する。
【００１６】
［パチンコ機］
パチンコ機１は、図１に示したように、四角く枠組みされた外枠２と、該外枠２の前面に開閉（回動）可能に取り付けられた前枠３と、を有する。ここで、外枠２は、遊技場等の室内の遊技機設置部たる遊技機設置島（図示せず）に固定的に取り付けられる固定部材に相当し、また、前枠３は、固定部材の前面に開閉可能に取り付けられる前面部材に相当する。
【００１７】
前枠３の正面には、ガラスや合成樹脂の透明板を装着した窓部４と、その窓部４の下側に設けた球皿５と、を有する前面装飾部材６が取り付けられている。
また、前枠３には、前記窓部４の後方で該窓部４と対向する位置に遊技板８が着脱可能な状態に取り付けられている。そして、その遊技板８には、ガイドレール９でほぼ円形に囲われた遊技領域１０が形成されており、その遊技領域１０が前枠３の前記窓部４を透して遊技者から見えるようになっている。
さらにまた、前枠３の裏側には、遊技板８の下側であって該遊技板８の前面と面一の垂直面を構成するように発射基板（図示せず）が設けられており、該発射基板の前面に図２に示したように発射レール１１が固着されている。
【００１８】
パチンコ機１は、前記球皿５にある遊技球を遊技者が遊技領域１０に打ち込み、それが遊技領域１０に設けられている入賞口１２に入るとその景品として遊技球が球皿５に所定個数放出され、一方、入賞口１２に入賞しなかった遊技球がアウト球として機裏に排出（回収）されるようになっている。したがってパチンコ機１には、遊技板８の遊技領域１０に向けて遊技球を打ち込む電動打球装置１３と、該電動打球装置１３の打力の強弱を調節する打力調節装置１４０が設けられている。
【００１９】
［電動打球装置］
電動打球装置１３は、図３に示したように、前枠３の裏側下方に該前枠３の裏面との間に空間１５を設けて固着した金属製のベース基板１６と、球皿５から発射レール１１の発射位置１１ｓに遊技球を供給する球供給装置（図示せず）と、発射位置１１ｓにある遊技球を打ち出す打球部材１７と、該打球部材１７に打球動作を行わせる動力部材１８と、により概略構成される。
【００２０】
前記打球部材１７は、ベース基板１６に揺動軸１９で揺動自在に軸着され、その上端に発射レール１１の発射位置１１ｓに臨む弾性的なハンマー頭部１７ｈを有する。
一方、前記動力部材１８は、打球部材１７の揺動軸１９に直結したロータリーソレノイド１８ａで形成されている。
【００２１】
以上の構成である電動打球装置１３は、ロータリーソレノイド１８ａに電圧が印加されていない状態で打球部材１７が図２破線のように傾倒位置にあり、この状態でロータリーソレノイド１８ａに電圧を印加すると図２二点鎖線のように瞬時に起立回動し、この動きで発射レール１１の発射位置１１ｓにある遊技球にハンマー頭部１７ｈが当たり、その衝撃で遊技球がガイドレール９に向けて打ち出される。
【００２２】
［打力調節装置］
打力調節装置１４０は、前枠３の一部を構成する前面装飾部材６から遊技者側に棚状に突設された手置き台２０に上下方向に向けて回転自在に取り付けられた回転軸１４１と、その回転軸１４１の上部に固着されていて前記手置き台２０に対して回転可能なハンドル体１４２と、該ハンドル体１４２の回転動作で電動打球装置１３の打力が変更されるように関連付けられている調節部材１４３と、を備えている。
【００２３】
［打力調節装置−ハンドル体］
ハンドル体１４２は、表面に良導電性のメッキが施された樹脂成形品であり、片手で回転操作可能な主ハンドル部１４２ａに指掛部１４２ｂを設けてなる。
主ハンドル部１４２ａは、回転操作に必要な基本機能を備えているものであって、前記回転軸１４１に取り付けられた略円柱形の回転母体１４２ｃと、その回転母体１４２ｃの上面から例えば右側方に向けて舌片状に延設されたレバー体１４２ｄと、からなり、このレバー体１４２ｄの図３において上縁に親指以外の指を掛けて手前に引くことで次に詳述する指掛部１４２ｂとは無関係に回転軸１４１を回転させることができる。
【００２４】
一方、前記指掛部１４２ｂは、主ハンドル部１４２ａのレバー体１４２ｄを厚さ方向に貫く孔であり、前記のようにレバー体１４２ｄに手を載せてハンドル体１４２の操作を行う場合に手の平の手首近傍、具体的には拇指球〜小指球の範囲のどこかが当接し得る位置に設けられている。
また、指掛部１４２ｂは、操作する側の手を前記手置き台２０に載せた状態でその手の少なくとも人差し指で引っ掛け可能な条件を満たす位置に設けられている。
指掛部１４２ｂを構成する孔は、実施形態では円形になっているがこれに限定されない。また、周りが完全に閉じている必要もなく、例えばＣ字型の環のように一部が開いていても指の引っ掛けに必要な部位が閉じていればそれでよい。また、指掛部１４２ｂを構成する孔は、厚さ方向に貫通するものに限定されず、例えば下側がカップ状になっている有底孔であっても指で引っ掛け可能な深さがあればよい。もっとも実施形態１のように指掛部１４２ｂの孔を貫通状にした場合には、手の下に熱がこもらず汗によるべたつきが防止できるため、長時間の遊技が快適に行える特有の効果がある。
【００２５】
その他、ハンドル体１４２には、回転母体１４２ｃの上面中央に例えばトラックボールや押し釦スイッチのような補助入力部１４２ｅが設けられていて、その補助入力部１４２ｅを使って例えば前記電動打球装置１３を単発的に作動させたり、或は遊技者側から制御装置に遊技に係る指示を入力するための入力手段として利用することができる。
【００２６】
［打力調節装置−調節部材］
調節部材１４３は、前記手置き台２０の下面にあって前記ハンドル体１４２の回転軸１４１の下部に直結された可変抵抗器１４３ａであり、前記回転軸１４１の回転量、つまり主ハンドル部１４２ａの回転量に応じてロータリーソレノイド１８ａに印加される電圧値を変更し、そうして打球部材１７の打力が変わるように関連付けられている。なお、ハンドル体１４２の回転軸１４１は、可変抵抗器１４３ａに内蔵された図示しないゼンマイに連結されていて常に初期位置に戻るように付勢されており、したがって、回転軸１４１を介してハンドル体１４２も初期位置に復動するように付勢されている。
【００２７】
以上の構成である打力調節装置１４０は、ハンドル体１４２に触れていない遊技前の状態で前記した可変抵抗器１４３ａが内蔵ゼンマイの付勢により初期状態になっており、その状態で打球部材１７は、図２破線の傾倒位置に停止している。
【００２８】
この状態から遊技者が遊技を行う場合は、ハンドル体１４２の上面に右手を載せてレバー体１４２ｄの図３において上縁に親指以外の指を掛け、そのままレバー体１４２ｄを手前に引いて図３二点鎖線のように時計回りに回転させる。そうすると先ず図示しないタッチセンサーが遊技者を検知する。同時に主ハンドル部１４２ａと一体に回転軸１４１が回って可変抵抗器１４３ａの抵抗値が変化し、その抵抗値に応じた電圧がロータリーソレノイド１８ａに印加される。これにより打球部材１７が図２二点鎖線のように起立回動して発射レール１１の発射位置１１ｓにある遊技球が遊技領域１０に向けて打ち出される。
そして、この状態からハンドル体１４２をさらに時計回りに回転させると打球部材１７の打力が強まり、逆に反時計回りに回転させると打力が弱まるため、ハンドル体１４２の回転方向と回転量を適宜調節して打球部材１７の打力を加減し、そうして遊技領域１０の狙ったポイントに遊技球が打ち込まれるようになったところでハンドル体１４２の角度をそのまま保持する。
【００２９】
一方、ハンドル体１４２の回転操作は、上記のように主ハンドル部１４２ａを握って行う場合の他、例えば手置き台２０の上に右手を載せ、その状態で人差し指や中指等の指１本又は複数本を指掛部１４２ｂに引っ掛かけて牽引操作したり、或はその状態で手置き台２０から手を浮かせたり、さらにはレバー体１４２ｄの指掛部１４２ｂに手の平の例えば小指球を載せて指を使わずに操作するなど、遊技者にとって使い勝手のよい比較的自由なスタイルで行うことができる。
【００３０】
遊技を停止又は終了する場合は、遊技者がハンドル体１４２から手を離せばよい。そうすると、前記したタッチセンサーがそれを検知して電動打球装置１３が停止し、さらに可変抵抗器１４３ａの内蔵ゼンマイの付勢によりハンドル体１４２が初期位置に自動的に戻る。
【００３１】
［実施形態２］
図４は実施形態２のパチンコ機１を示す要部拡大正面図である。
上記した実施形態１のパチンコ機１は、ハンドル体１４２の主ハンドル部１４２ａ自体に指掛部１４２ｂを設けたものであるのに対し、実施形態２のパチンコ機１は、ハンドル体１４２の主ハンドル部１４２ａに拡張部１４２ｆを突設してそこに指掛部１４２ｂを設けるようにしたものである。
なお、以下に記載する実施形態２の説明は、主として実施形態１と相違する部分に的を絞ったものであり、実施形態１の構成のうち以下に記載のないものは実質的に実施形態２にも当て嵌まる。
【００３２】
［電動打球装置］
電動打球装置１３の打球部材１７は、前記ベース基板１６と前枠３後面との間の空間１５（図３参照）内にベース基板１６側の揺動軸２１で揺動自在に軸着されている。
一方、前記動力部材１８は、ベース基板１６に固着された電動モータ（図示せず）と、該電動モータの駆動力で回転して打球部材１７を傾動させる回転カム（図示せず）と、打球部材１７を打球方向に付勢する牽引バネ１８ｂと、の組合せで構成される周知のものである。
【００３３】
［打力調節装置］
打力調節装置１４０のハンドル体１４２は、前枠３の前面下方に形成された固定的な碗状のハンドル支持台２２に回転可能に取り付けられている。このハンドル体１４２には、ハンドル支持台２２に回転可能に支承されている回転軸１４１の前端部が一体的に固着されており、また、その回転軸１４１の後端が前枠３の後側に突出している。
一方、打力調節装置１４０の調節部材１４３は、前記回転軸１４１の後端に固着されてハンドル体１４２と一体に回転するプーリー１４３ｂと、一端を該プーリー１４３ｂに巻回し他端を前記電動打球装置１３の牽引バネ１８ｂに連結したワイヤー１４３ｃと、により概略構成されており、前記ハンドル体１４２の回転操作で回転軸１４１ごとプーリー１４３ｂを回転させ、そのプーリー１４３ｂの回転をワイヤー１４３ｃで牽引バネ１８ｂに伝達し、そうして牽引バネ１８ｂを伸縮させて打球部材１７の打力を変更させるようにした周知のものである。
【００３４】
しかして実施形態２のハンドル体１４２は、円板の周面に指当て突部１４２ｇを突設することにより片手で握って回転操作し得るようにした主ハンドル部１４２ａと、その主ハンドル部１４２ａの下半周域であって主ハンドル部１４２ａを握って邪魔にならない位置にこぶ状に突設された拡張部１４２ｆと、その拡張部１４２ｆに設けた孔状の指掛部１４２ｂとから概略構成されている。そしてさらに前記指掛部１４２ｂは、操作する側の手を遊技機設置島の棚板２３に載せた状態でその手の少なくとも人差し指で引っ掛け可能な条件を満たす位置に設けられている。なお、このことから明らかなように実施形態２において「操作する側の手を載せる固定的な手置き台」とは遊技機設置島の棚板２３である。
【００３５】
以上の構成である実施形態２の打力調節装置１４０は、ハンドル体１４２に触れていない遊技前の状態でワイヤー１４３ｃを介してプーリー１４３ｂに作用する牽引バネ１８ｂの弾性で図４の初期状態になっており、また、その状態で電動打球装置１３の打球部材１７も牽引バネ１８ｂで牽引されて同図破線の起立位置に停止している。
【００３６】
そして、この状態から遊技者が遊技を行うため右手でハンドル体１４２をハンドル支持台２２ごと握ると、まず図示しないタッチセンサーが遊技者を検知して電動打球装置１３が作動し、遊技球が遊技領域１０に打ち出される。そして、その状態からハンドル体１４２の主ハンドル部１４２ａを回して回転角を適宜増減すると、そのハンドル体１４２の回転が回転軸１４１を介して調節部材１４３のプーリー１４３ｂに伝達され、該プーリー１４３ｂの回転がワイヤー１４３ｃを介して牽引バネ１８ｂに伝わって該牽引バネ１８ｂを伸縮させる。これにより打球部材１７の打力が調節されて、遊技領域１０の狙ったポイントに遊技球を打ち込むことができる。
【００３７】
一方、ハンドル体１４２の回転操作は、上記のように主ハンドル部１４２ａを握って行う場合の他、例えば手置き台たる棚板２３の上に右手を載せ、その状態で人差し指又は中指等の指１本又は複数本を指掛部１４２ｂに引っ掛かけて牽引することにより行うことができる。また、このような指掛による回転操作は、左手でも十分可能である。したがって、遊技者にとって使い勝手のよい比較的自由なスタイルでハンドル体１４２を操作することができる。
【００３８】
遊技を停止又は終了する場合は、遊技者がハンドル体１４２から手を離せばよい。そうすると、前記したタッチセンサーがそれを検知して電動打球装置１３が停止し、さらに打球部材１７を付勢する牽引バネ１８ｂの弾性によってプーリー１４３ｂが回転してハンドル体１４２が図４の初期状態に自動的に戻る。
【００３９】
以上本発明を実施の形態１，２について説明したが、もちろん本発明は上記実施形態に限定されるものではない。例えば実施形態１，２は、パチンコ機１を例に説明したが、それ以外にも雀球機、アレンジボール機等、遊技球を使用して遊技を行う弾球遊技機全般に適用可能である。
また、実施形態１の水平回動タイプのハンドル体１４２と、実施形態２の電動打球装置１３と調節部材１４３とを適宜組み合わせたり、或はその逆に実施形態２の垂直回動タイプのハンドル体１４２と、実施形態１の電動打球装置１３と調節部材１４３とを組み合わせるようにしてもよい。
【符号の説明】
【００４０】
１  …パチンコ機（弾球遊技機）
２  …外枠（固定部材）
３  …前枠（前面部材）
１０  …遊技領域
１１ｓ  …発射位置
１３  …電動打球装置
１４０  …打力調節装置
１４２  …ハンドル体
１４２ａ  …主ハンドル部
１４２ｂ  …指掛部
１４２ｃ  …回転母体
１４２ｄ  …レバー体
１４２ｆ  …拡張部
１４３  …調節部材
１７  …打球部材
１８  …動力部材
２０  …手置き台
２３  …棚板（手置き台）
【図１】
2014083382.tif 000003
【図２】
2014083382.tif 000004
【図３】
2014083382.tif 000005
【図４】
2014083382.tif 000006
【図５】
2014083382.tif 000007